(57)【要約】【課題】商品の収容部を嵩張らないように折り畳むことができ、陳列する商品に応じて多種多様な形態とすることが可能な商品陳列具を提供する。【解決手段】本発明の商品陳列具１０は、線状部材により形成した枠体１と、シート状部材により形成した筒状体２とを少なくとも備えることにより構成されている。枠体は、前方に張り出す一対のアームと、このアームの一端部同士及び他端部同士をそれぞれ連結する二本の吊下げ杆により環状に構成され、陳列場所への設置を可能とする取付け部３を有する。筒状体は、枠体を挿通可能とする中空部を有し、枠体に吊下げられる。この商品陳列具は、筒状体の中空部内に枠体を挿通した後、一対のアーム間及び二本の吊下げ杆間において筒状体が垂下するように下方に向かって折り曲げ、筒状体の周壁部を一対のアームもしくは二本の吊下げ杆に架け渡して収容部２３を形成することで組み立てられる。【選択図】図１
2016054762.tif 000002
【特許請求の範囲】
【請求項１】
線状部材により形成した枠体と、
シート状部材により形成した、前記枠体に吊下げられる筒状体と、
を少なくとも備え、
前記枠体は、前方に張り出す一対のアームと、該アームの一端部同士及び他端部同士をそれぞれ連結する二本の吊下げ杆により環状に構成され、陳列場所への設置を可能とする取付け部を有し、
前記筒状体は、前記枠体を挿通可能とする中空部を有し、
前記筒状体の中空部内に前記枠体を挿通した後、一対のアーム間及び二本の吊下げ杆間において筒状体が垂下するように押し下げ、筒状体の周壁部を一対のアームもしくは二本の吊下げ杆に架け渡すことで収容部を形成することを特徴とする商品陳列具。
【請求項２】
前記枠体は、アームの一端部同士を連結する一端側吊下げ杆の高さと、アームの他端部同士を連結する他端側吊下げ杆の高さが異なることを特徴とする請求項１に記載の商品陳列具。
【請求項３】
前記筒状体は、外部に露呈する一面に表示部を備えていることを特徴とする請求項１又は２に記載の商品陳列具。
【請求項４】
前記取付け部は、フック型をした線状部材により構成されていることを特徴とする請求項１乃至３の何れか１項に記載の商品陳列具。
【請求項５】
前記枠体は、アームを支える支持部をさらに備え、
前記支持部は、線状部材により前記取付け部と一体的に構成されていることを特徴とする請求項４に記載の商品陳列具。
【発明の詳細な説明】
【技術分野】
【０００１】
本発明は、スーパーマーケットやドラッグストア、コンビニエンスストア等の店舗において商品を陳列するために用いられる什器に係り、詳しくは、商品陳列棚に着脱自在に設置して商品を簡易的に陳列することができる商品陳列具に関する。
【背景技術】
【０００２】
店舗において商品を販売する場合、一般的に常設された陳列棚を用いている。このような陳列棚を用いた販売方法では、常時販売する商品以外の他の商品（たとえば、メーカや店舗が販売に力を入れている新商品や推奨商品等）を短期的に一定期間だけ販売等するような場合、陳列棚における商品の陳列スペースに空きがないと常時販売する商品から他の商品へ置き換える作業を要することになる。しかも、商品の置き換え作業を行った場合、一定期間終了後に特定の商品を常時販売する商品へと戻す作業も要することになる。
【０００３】
ところが、商品を置き換え等する作業は煩わしく手間の掛かるものである。また、陳列棚を用いた商品の陳列の場合、単に商品を置き換えただけでは特定の商品を目立たせることが難しく、当該商品の広告・販売効果を高めることができない。
【０００４】
そこで、メーカや店舗が販売に力を入れている商品の広告・販売効果を高めることを目的として、商品が目立つようにアイキャッチ力の強いＰＯＰ広告を陳列棚に取り付けることが行われている。ところが、このようなＰＯＰ広告を用いた販売方法では、商品の陳列場所とＰＯＰ広告とを関連付けるように一体とすること、すなわち、商品の陳列場所にＰＯＰ広告を表記しておくことが困難である。ゆえに、陳列棚を用いた商品の陳列の場合、陳列場所の変更に伴う商品の移動とは別にＰＯＰ広告の取り付け場所の移動作業も要することになる。
【０００５】
一方、陳列棚のような固定性の高い商品陳列具とは別に、線状部材を用いて形成された移動性の高い商品陳列具として、たとえば、金属線を折り曲げて構成されたカゴ状体に、透明なプラスチック材料などで形成した複数の商品収納箱を装着するようにしたもの（特許文献１を参照）提案されている。
【０００６】
このような線状部材を用いた商品陳列具は、陳列棚において商品の陳列スペースとして活用されていない、いわゆるデッドスペースと称される領域を利用して商品を効率良く陳列することができる。ゆえに、たとえば、これを陳列棚の側壁外面に設置した場合、陳列棚に陳列された商品の置き換え作業を伴うことなく、常時販売する商品と共に、所望の他の商品を短期的に一定期間だけ容易に陳列することができる。
【０００７】
また、線状部材を用いた商品陳列具は、商品を収容したまま一緒に移動させる（入れ替える）ことも容易にできる。さらに、商品の陳列場所とＰＯＰ広告とを関連付けるように、商品を陳列する商品収納箱の外面等にＰＯＰ広告を表記しておくこともできる。
【０００８】
しかしながら、上述した商品陳列具では、商品の収容部としてプラスチック材料などで形成した立体的な商品収納箱を要するものであるため、保管や搬送等の不使用時に、嵩張らないように商品収納箱を折り畳んでおくことができない。
また、商品収納箱は立体的であるため、ＰＯＰ広告の表記位置や、ＰＯＰ広告を表記する数量によっては、効率良く作業を行うことが困難である。すなわち、印刷手段等によりＰＯＰ広告を連続して効率良く表記することはできない。
【０００９】
さらに、商品収納箱は形状や大きさが予め特定されるものであるため、陳列する商品に応じて収容部の形状や深さを適宜変更したり、ＰＯＰ広告の表記を変更したりするためには、事前に多くの態様の商品収納箱を準備しておかなければならないが、保管や搬送等の点で対応することは困難である。
【先行技術文献】
【特許文献】
【００１０】
【特許文献１】特開平１０−５０８７号公報
【発明の概要】
【発明が解決しようとする課題】
【００１１】
本発明は、上記事情に鑑みて成されたものであり、商品の収容部を嵩張らないように折り畳むことができ、陳列する商品に応じて多種多様な形態とすることが可能な商品陳列具を提供することを目的とする。
【課題を解決するための手段】
【００１２】
本発明の商品陳列具は、線状部材により形成した枠体と、シート状部材により形成した、前記枠体に吊下げられる筒状体と、を少なくとも備え、前記枠体は、前方に張り出す一対のアームと、該アームの一端部同士及び他端部同士をそれぞれ連結する二本の吊下げ杆により環状に構成され、陳列場所への設置を可能とする取付け部を有し、前記筒状体は、前記枠体を挿通可能とする中空部を有し、前記筒状体の中空部内に前記枠体を挿通した後、一対のアーム間及び二本の吊下げ杆間において筒状体が垂下するように押し下げ、筒状体の周壁部を一対のアームもしくは二本の吊下げ杆に架け渡すことで収容部を形成することを特徴とする。
【００１３】
また、本発明の商品陳列具は、前記商品陳列具において、前記枠体は、アームの一端部同士を連結する一端側吊下げ杆の高さと、アームの他端部同士を連結する他端側吊下げ杆の高さが異なることを特徴とする。
【００１４】
また、本発明の商品陳列具は、前記各商品陳列具において、前記筒状体は、外部に露呈する一面に表示部を備えていることを特徴とする。
【００１５】
また、本発明の商品陳列具は、前記各商品陳列具において、前記取付け部は、フック型をした線状部材により構成されていることを特徴とする。
【００１６】
さらに、本発明の商品陳列具は、フック型をした線状部材により構成された取付け部を備える上記商品陳列具において、前記枠体は、アームを支える支持部をさらに備え、前記支持部は、線状部材により前記取付け部と一体的に構成されていることを特徴とする。
【発明の効果】
【００１７】
本発明の商品陳列具は、線状部材により形成した枠体と、シート状部材により形成した筒状体とを備える極めて簡易な構造であって、筒状体の中空部内へ枠体を挿通した後、筒状体を枠体に吊下げるといった極めて簡易な手段によって組み立てられ、商品を陳列することができる。しかも、商品の収容部となる筒状体は平面的に折り畳むことができるものである。
【００１８】
したがって、商品の収容部を嵩張らないように折り畳むことができ、筒状体の形状や大きさを適宜変更することで、陳列する商品に応じて容易に多種多様な形態とすることが可能な商品陳列具を提供することができる。
【図面の簡単な説明】
【００１９】
【図１】本発明に係る商品陳列具を示す斜視図である。
【図２】本発明に係る商品陳列具に用いる枠体を示す、（Ａ）正面図、（Ｂ）側面図である。
【図３】本発明に係る商品陳列具に用いる筒状体を示す斜視図である。
【図４】本発明に係る商品陳列具を組み立てる状態を示す、（Ａ）筒状体の中空部内へ枠体を挿通する前の斜視図、（Ｂ）筒状体の中空部内へ枠体を挿通した後の斜視図である。
【図５】本発明に係る商品陳列具に用いる他の枠体を示す側面図である。
【図６】本発明に係る商品陳列具に用いる他の枠体を示す側面図である。
【図７】本発明に係る商品陳列具に用いる他の枠体を示す側面図である。
【図８】本発明に係る商品陳列具に用いる他の枠体を示す斜視図である。
【図９】図８に示す枠体を用いて本発明に係る他の商品陳列具を組み立てる状態を示す斜視図である。
【図１０】図８に示す枠体を用いて組み立てられた本発明に係る他の商品陳列具を示す側面図である。
【発明を実施するための形態】
【００２０】
次に、本発明の実施の形態の一例を説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２１】
＜第１の実施の形態＞
図１に示すように、本実施の形態における商品陳列具１０は、枠体１と、筒状体２と、を少なくとも備える。また、枠体１は、取付け部３を備える。
取付け部３は、枠体１を構成する線状部材と同一部材を用いることにより枠体１と一体的に形成することができる。
【００２２】
枠体１は、図２に示すように、前方に張り出す一対のアーム１１，１１と、このアーム１１の一端１１ａ，１１ａ同士を連結する一端側吊下げ杆１２、及び同他端１１ｂ，１１ｂ同士を連結する他端側吊下げ杆１３とを有する。すなわち、枠体１は、アーム１１の一端１１ａ，１１ａ同士と他端１１ｂ，１１ｂ同士とをそれぞれ連結する二本の吊下げ杆１２，１３により環状に構成され、線状（又は棒状）部材により一体的に形成されている。
【００２３】
線状部材は、陳列する商品の重さに耐え得る強度を有すると共に、所望の形状に成形することが容易な加工性に優れる素材からなるものが望ましい。このような素材としては、たとえば、金属や合成樹脂、木材等を挙げることができる。これらのうち、商品の重さや外部からの衝撃等に耐えることが可能な適度な強度（応力）を有し、折り曲げることにより容易に所望の形状に成形することができる点で、鉄、ステンレス、銅、アルミニウムなどの金属製の線状部材を用いるのが望ましい。
【００２４】
また、線状部材は、断面形状が円形のものに限らず、楕円形や多角形であっても良く、さらに、断面方向に幅を有する扁平状であっても良い。線状部材の断面形状を適宜選択することで、所望の強度（応力）と、加工性とのバランスが良いものとすることができる。
【００２５】
本実施の形態において、枠体１は、一対のアーム１１，１１より二本の吊下げ杆１２，１３の方が長いものとなっており、図１において、商品陳列具１０は、たとえば、缶入り飲料やペットボトル入り飲料等の商品Ｃを横一列に陳列する横長のものとして示されている。
【００２６】
また、枠体１は、一対のアーム１１，１１が斜め下方へ向かって張り出し、一端側吊下げ杆１２の高さＬ１と、他端側吊下げ杆１３の高さＬ２が異なるものとしても良い。
これにより、枠体１における一方の吊下げ杆１２（１３）側より商品Ｃを取り出し易くすることができる。
図２において、枠体１は、一端側吊下げ杆１２の高さＬ１が、他端側吊下げ杆１３の高さＬ２より高く（Ｌ１＞Ｌ２）設定して形成されたものとして示されている。ゆえに、本実施の形態における商品陳列具１０は、他端側吊下げ杆１３側より商品Ｃを取り出し易くすることができる。
【００２７】
取付け部３は、枠体１に一体的に接続され、陳列場所への設置を可能とする。
取付け部３としては、たとえば、フック型をした線状部材や吸盤とすることができる。取付け部３がフック型をした線状部材の場合、商品陳列具１０をネット状側面やネット状底面へ引っ掛けて設置することが可能となる。一方、取付け部３が吸盤の場合、商品陳列具を平板側面や平板底面へ吸着して設置することが可能となる。
【００２８】
図１及び図２において、取付け部３は、線状部材の一端が反転するように下方へ向けて折り曲げられたフック型をしたものとして示されている。
ゆえに、本実施の形態では、フック型をした取付け部３を商品陳列棚のネット部分等に引っ掛けることで、商品陳列具１０を容易に設置することができる。この際、商品陳列具１０は、いわゆるゴールデンスペースと称される床から７５乃至１３５ｃｍの高さに設置することで商品Ｃの陳列を一層望ましいものとすることができる。
【００２９】
また、取付け部３は、枠体１のアーム１１における何れか一方の端部側に接合して設けられている。取付け部３がアーム１１の端部側に設けられていると、陳列場所が側面部分である場合に、取付け部３が設けられた側を背にして側面部分にもたれるようにバランス良く商品陳列具１０を設置することができる。なお、線状部材どうしの接合には、溶接、ネジ止め、接着等の各種手段を採用することができる。
図２において、取付け部３は、枠体１のアーム１１の一端１１ａ側に設けられたものとして示されている。
【００３０】
また、枠体１は、アーム１１を支える支持部１４をさらに備える。支持部１４は、取付け部３と一体的に線状部材により形成され、その端部に取付け部が設けられたものとしても良い。
図２において、支持部１４は、線状部材により取付け部３と一体的に形成され、一端がフック型に折り曲げられて取付け部３となり、他端がレ字状に折り曲げられてアーム１１の他端１１ｂ側を下方より支えるように、アーム１１に取り付けられたものとして示されている。
【００３１】
筒状体２は、シート状部材により形成され、枠体１を挿通可能とする大きさの中空部２１を有する。
このシート状部材は、後述するように折り曲げることができるように適度に柔軟であると共に、陳列する商品の重さによって破損しない強度を有する素材からなるものが望ましい。このような素材としては、たとえば、厚紙や合成樹脂、布等を挙げることができる。また、シート状部材は、ゴム材のように伸縮機能を有するものであっても良い。
【００３２】
この筒状体２は、二本の吊下げ杆１２，１３の間に掛け渡すように吊下げられることで、収容部２３を形成する。すなわち、収容部２３は、従来技術において開示した線状部材を用いた商品陳列具の商品収納箱のように事前に形成しておく必要はなく、筒状体２の中空部２１内に枠体１を挿通した後、筒状体２が垂下するように周壁部を下方へ向かって押し下げることで、必要時に、その場で、素早く、簡易に、収容部２３を形成することができる。この際、取付け部３は、一端側吊下げ杆１２の各端部に接続されたアーム１１，１１と同様に枠体１の端部に位置して設けられているので、筒状体２による収容部２３の形成において邪魔になることはない。
【００３３】
また、本発明における収容部２３は、筒状体２のみによって形成されている。具体的には、収容部２３は、筒状体２の周壁部を枠体１に架け渡して支持することで形成され、枠体１が収容部２３の側面部や底面部を支持することはなく、収容部２３の側面部から底面部は筒状体２のみによって形成されたものとなっている。この際、筒状体２は、下方へ向かっての折り曲げが容易に成されるように、筒状体２の周壁部に予め複数の折り部を備えるものとすると望ましい。
【００３４】
図３において、折り部は、筒状体２を下方へ向かっての折り曲げたときに山折りとなる四つの山折り部２２ａ，２２ｂ，２２ｃ，２２ｄと、同谷折りとなる二つの谷折り部２２ｅ，２２ｆが筒状体２の周壁部に設けられたものとして示されている。この場合、山折り部２２ａが一端側吊下げ杆１２に架け渡されると共に、山折り部２２ｄが他端側吊下げ杆１３に架け渡されたものとなっている。
【００３５】
また、折り部は、収容部２３の深さを定めるものとなる。具体的には、図３において、山折り部２２ａと山折り部２２ｂと谷折り部２２ｆは、収容部２３における一端側吊下げ杆１２側の深さを定めるものであり、山折り部２２ｃと山折り部２２ｄと谷折り部２２ｅは、収容部２３における他端側吊下げ杆１３側の深さを定めるものとなっている。より具体的には、山折り部２２ａと山折り部２２ｂの間の距離、及び山折り部２２ａと谷折り部２２ｆの間の距離が、収容部２３における一端側吊下げ杆１２側の深さを定め、山折り部２２ｃと山折り部２２ｄの間の距離、及び山折り部２２ｄと谷折り部２２ｅの間の距離が、収容部２３における他端側吊下げ杆１３側の深さを定めている。
【００３６】
このように本発明では、筒状体２に形成される折り部の位置に対応して様々な深さを有する収容部２３を形成することができる。ゆえに、大きさの異なる何種類かの筒状体２、すなわち、折り部の位置が異なる何種類かの筒状体２を事前に用意しておくことで、枠体１を変更せずに筒状体２だけを変更することで、サイズが異なる様々な商品（色々な高さの商品）を効率良く陳列することができる。
【００３７】
また、筒状体２は、外部に露呈する周壁部の一面に、印刷や筆記等が可能な表示部２４を備えているものとしても良い。この表示部は、陳列する商品の広告・宣伝を行うキャッチフレーズ等を印刷したり、筆記したり、該キャッチフレーズ等を印刷したラベルやシール等を貼付する表示領域である。
【００３８】
本実施の形態において表示部２４は、たとえば、図１に示すように、商品の収容部２３を形成するように筒状体２を凹状に折り曲げた際、正面側を向いて露呈することとなる筒状体２の周壁部の外面全部もしくはその一部とすることができる。具体的には、図３に示す山折り部２２ａと谷折り部２２ｆとの間の領域、及び同山折り部２２ｃと山折り部２２ｄとの間の領域の全部もしくはその一部を、それぞれ表示部２４とすることができる。もちろん、他の周壁部の外面を表示部としても良い。
【００３９】
このように筒状体２の周壁部の外面に表示部２４を備えることで、収容する商品に関するキャッチコピーなど宣伝用の文字や図形等を適宜表示したＰＯＰとして用いることができる。しかも、筒状体２は、平面状をしたシート状部材により形成されるので印刷手段等によって所望の表示を効率良く容易に施すことすることができる。
ゆえに、収容する商品ごとに予めキャッチコピーなどを表示（印刷）した筒状体２を複数準備することで、枠体２を変更することなく、筒状体２だけを交換すれば、様々な商品に対応可能な商品陳列具として用いることができる。
【００４０】
次に、枠体１と筒状体２を用いて本発明の商品陳列具１０を組み立てる方法について説明する。
まず、図４（Ａ）に示すように、筒状体２の中空部２１内に枠体１を挿通し、一対のアーム１１，１１間に筒状体２が位置するように配する。
次いで、図４（Ｂ）に示すように、一対のアーム１１，１１間、及び二本の吊下げ杆１２，１３間において、筒状体２が垂下するように下方に向かって押し下げ、周壁部を折り曲げる。図中の点線矢印は、筒状体２を押し下げる方向を示している。
【００４１】
ここで、筒状体２の中空部２１内に枠体１を挿通する前に、筒状体２に設けられた折り部２２・・２２沿って筒状体２を予め折り曲げ、周壁部に折り目を設けておくと、上述した筒状体２における周壁部の折り曲げ作業がし易くなるので望ましい。
そして、筒状体２の周壁部、具体的には、山折り部２２ａに相当する部分と山折り部２２ｄに相当する部分を二本の吊下げ杆１２，１３に架け渡すことで、図１に示すように、凹状をした収容部２３を形成する。
【００４２】
以上のように構成した商品陳列具１０は、商品陳列棚の下面や側壁外面といった商品の陳列スペースとして活用されていないデッドスペースを利用して設置することができるので、常時販売する商品に比して目立つと共に、商品が見易く、選び易く、手に取り易いものとして商品を陳列することができる。しかも、商品Ｃの収容部２３を形成する筒状体２は平面的に折り畳んでおくことができるので、保管や搬送等の不使用時に、嵩張らないものとすることができる。
【００４３】
また、筒状体２は、平面的に折り畳むことができることから、ＰＯＰ広告の表記位置や、ＰＯＰ広告を表記する数量に影響されることなく、印刷手段等によりＰＯＰ広告を連続して効率良く表記することができる。さらに、陳列する商品に応じて収容部の形状や深さを適宜変更したり、ＰＯＰ広告の表記を変更したりするために、事前に多くの態様の筒状体を準備しておいても、平面的に折り畳んでおけば嵩張らないものとすることができるので、保管や搬送等の点で問題なく対応することができる。
【００４４】
また、本実施の形態においては、図５に示すように、一対のアーム１１，１１が水平に向かって張り出し、アーム１１の一端部同士を連結する一端側吊下げ杆１２の高さと、アーム１１の他端部同士を連結する他端側吊下げ杆１３の高さが互いに等しい枠体５１を用いるものとしても良い。
【００４５】
これにより、陳列する商品をバランス良く支持して商品が無暗に倒れてしまうことを防いだり、商品が何れか一方の吊下げ杆１２（１３）側より落下してしまうことを防いだりすることができる。
【００４６】
また、本実施の形態においては、図６に示すように、枠体１のアーム１１の中央付近に支持部１４と一体的に構成された取付け部３を有する枠体６１を用いるものや、図７に示すように、枠体１のアーム１１の中央付近に支持部１４と別個に構成された取付け部３を有する枠体７１を用いるものとしても良い。
【００４７】
このようにアーム１１の中央付近に取付け部３が設けられている枠体６１，７１とすると、陳列場所が底面裏側である場合でも容易に商品陳列具１０を設置することができる。
この場合、図６に示す枠体６１を用いるものとすれば、陳列場所へ取付け部３を設置することで、図２に示す枠体１と同様に、一端側吊下げ杆１２の高さが、他端側吊下げ杆１３の高さより高く位置するものとなり、他端側吊下げ杆１３側より商品を取り出し易くすることができる。
【００４８】
一方、図７に示す枠体７１を用いるものとすれば、陳列場所へ取付け部３を設置することで、図５に示す枠体１と同様に、一端側吊下げ杆１２の高さと、他端側吊下げ杆１３の高さが互いに等しいものとなり、陳列する商品をバランス良く支持して商品が無暗に倒れてしまうことを防いだり、商品が何れか一方の吊下げ杆１２（１３）側より落下してしまうことを防いだりすることができる。
【００４９】
＜第２の実施の形態＞
また、本発明の商品陳列具は、陳列向きを変更したものとすることもできる。すなわち、上述した第１の実施の形態とは、商品の陳列向きが縦列となる点で異なる。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００５０】
図８乃至図１０に示すように、本実施の形態における商品陳列具８０は、枠体８１と、筒状体２と、を少なくとも備える。また、枠体１は、取付け部３を備える。
本実施の形態において、枠体８１は、図８に示すように二本の吊下げ杆１２，１３より一対のアーム１１，１１の方が長いものとなっており、図１０において、商品陳列具１０は、缶入り飲料やペットボトル入り飲料等の商品Ｃを縦一列に陳列する縦長のものとして示されている。
【００５１】
また、枠体８１は、一対のアーム１１，１１が斜め下方へ向かって張り出し、他端側吊下げ杆１３の高さが、一端側吊下げ杆１２の高さより低くなっていると共に、筒状体２により形成された収容部２３が、一端側吊下げ杆１２側から他端側吊下げ杆１３側へ向けて下るように傾斜するものとして示されている。
ゆえに、本実施の形態における商品陳列具８０は、収容部２３内の商品Ｃが、傾斜する収容部２３の向きに従って他端側吊下げ杆１３側へ自動的に滑り落ちるものとなるので、他端側吊下げ杆１３側より商品Ｃを一層取り出し易いものとすることができる。
【００５２】
次に、枠体８１と筒状体２を用いて本発明の商品陳列具８０を組み立てる方法について説明する。
まず、図９に示すように、筒状体２の中空部２１内に枠体８１を挿通し、二本の吊下げ杆１２，１３間に筒状体２が位置するように配する。
次いで、一対のアーム１１，１１間、及び二本の吊下げ杆１２，１３間において筒状体２が垂下するように下方に向かって押し下げ、周壁部を折り曲げる。
そして、筒状体２の周壁部を一対のアーム１１，１１に架け渡すことで、図１０に示すように、凹状をした収容部２３を形成する。
【００５３】
また、図示しないが、筒状体は、周方向の一部もしくは全体に切断可能な複数のミシン目を備えるものとしても良い。
周方向の一部にミシン目を備えるものとすると、ミシン目に沿って筒状体を切断することで、切断された筒状体の周縁部が商品間に介在する仕切りとして用いることができる。また、周方向の全部にミシン目を備えるものとすると、ミシン目に沿って筒状体を切断することで、複数の筒状体への分離が可能となり、商品ごとに独立した収容部を形成することができる。
【００５４】
このように筒状体は、枠体の吊下げ杆に沿って複数吊下げて設けられたものとすることで、筒状体の一部が破損した場合に部分的に新しい筒状体に交換することが容易にできる。また、筒状体は、大きさが異なる二種以上からなるものとすることで、多種多様な商品を収容し陳列することができる。
【００５５】
なお、上述した実施の形態では、缶入り飲料やペットボトル入り飲料等の商品を陳列する場合について説明したが、本発明の商品陳列具は、インテリア用品や生活用品、キッチン用品、ファッション用品、オフィス用品、ガーデニング用品等の雑貨小物を収容して陳列することもできる。
【符号の説明】
【００５６】
１，５１，６１，７１，８１  枠体、２  筒状体、３  取付け部、１０，８０  商品陳列具、１１  アーム、１１ａ  一端、１１ｂ  他端、１２  一端側吊下げ杆、１３  他端側吊下げ杆、１４  支持部、２１  中空部、２２ａ、２２ｂ，２２ｃ，２２ｄ  山折り部、２２ｅ，２２ｆ  谷折り部、２３  収容部、２４  表示部。
【図１】
2016054762.tif 000003
【図２】
2016054762.tif 000004
【図３】
2016054762.tif 000005
【図４】
2016054762.tif 000006
【図５】
2016054762.tif 000007
【図６】
2016054762.tif 000008
【図７】
2016054762.tif 000009
【図８】
2016054762.tif 000010
【図９】
2016054762.tif 000011
【図１０】
2016054762.tif 000012